(57)【特許請求の範囲】
【請求項１】
原稿に光を照射する光源手段と、
前記原稿からの光束を反射させて光路を形成する複数のミラーと、
前記複数のミラーにより反射された光束を結像させる結像レンズと、
前記結像レンズの結像位置に配置され、前記結像レンズによる結像に基づいて前記原稿の画像を読み取る読取手段と、
前記光源手段と、前記複数のミラーと、前記結像レンズと、前記読取手段とを収容する主走査方向に直交する副走査方向に移動可能なケース体と、を備え、
複数のミラーは、光束をそれぞれ一度だけ反射させて光路を形成し、
前記複数のミラーのうち前記光路において最も前記結像レンズ側に配置される結像側ミラーは、前記主走査方向における長さが最も短くなるように形成され、
前記結像側ミラーにおける厚さは、前記複数のミラーのうち前記光路において最も前記原稿側に配置される原稿側ミラーの厚さよりも厚くなるよう形成される
画像読取装置。
【請求項２】
前記複数のミラーそれぞれは、前記光路において前記原稿側から前記結像レンズ側に向かうにしたがって前記主走査方向における長さが短くなるように形成される
請求項１に記載の画像読取装置。
【請求項３】
前記複数のミラーそれぞれにおける厚さは、前記光路において前記原稿側から前記結像レンズ側に向かうにしたがって、同等もしくは厚くなるように形成される
請求項１又は２に記載の画像読取装置。
【請求項４】
前記ケース体には、
前記読取手段の動作を制御する制御手段が実装された回路基板と、
前記読取手段と前記回路基板とを電気的に接続する信号線とが配置され、
前記複数のミラーは、
前記結像側ミラーと前記光路において最も前記原稿側に配置される原稿側ミラーとの間に配置される１又は複数の中間ミラーとで構成され、
前記回路基板は、
前記１又は複数の中間ミラーのうち所定の中間ミラーと前記主走査方向において並列して配置される
請求項１から３のいずれかに記載の画像読取装置。
【請求項５】
前記複数のミラーは、
前記光路の方向において前記原稿側から前記結像レンズ側に向かって順次配置される第１ミラーと、第２ミラーと、第３ミラーと、第４ミラーとで構成され、
前記第１ミラーは、前記ケース体の底面側に配置され、
前記第２ミラーは、前記ケース体の前記副走査方向における一端側に配置され、
前記第３ミラーは、前記ケース体の前記副走査方向における他端側に配置され、
前記第４ミラーは、前記ケース体の前記副走査方向における前記一端側であって前記第２ミラーよりも前記底面側に配置され、
前記回路基板は、前記第３ミラーと前記主走査方向において並列して配置される
請求項４に記載の画像読取装置。
【請求項６】
請求項１から５のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、を備える
画像形成装置。
【発明の詳細な説明】
【技術分野】
【０００１】
本発明は、画像読取装置及び、画像読取装置を備える画像形成装置に関する。
【背景技術】
【０００２】
従来、原稿の画像を読み取る画像読取装置として、原稿に光を照射する光源と、原稿からの光束を結像させる結像レンズと、ＣＣＤ（Ｃｈａｒｇｅ―Ｃｏｕｐｌｅｄ  Ｄｅｖｉｃｅ）とを一体的に収容するキャリッジを主走査方向と直交する副走査方向に移動させながら原稿の画像を読み取る画像読取装置が知られている。
【０００３】
ここで、画像読取装置において、原稿からの光束全体を結像レンズに入光可能な程度まで収束させるためには、所定距離の光路を確保する必要がある。
これに対し、複数のミラーにより光束を反射することで所定距離の光路を形成する画像読取装置が知られている。
【０００４】
例えば、原稿からの光束を３枚のミラーにより反射させて光路を形成する画像読取装置が提案されている（特許文献１参照）。具体的には、原稿からの光束をキャリッジの底面側に配置されるミラーで反射させた後、水平方向に対向して配置されるミラーに反射させることで、所定距離の光路を形成する画像読取装置が提案されている。
【特許文献１】特開平７−２０３１５３
【発明の開示】
【発明が解決しようとする課題】
【０００５】
しかし、特許文献１の読取装置において、３枚のミラーにおける幅方向の長さ（主走査方向の長さ）については、何ら工夫がされていなかった。
また、特許文献１の読取装置において、複数のミラーがキャリッジの内部空間に占める割合が高くなるという問題があった。
つまり、キャリッジにおける内部空間について、効率的な利用がなされていないという問題があった。
【０００６】
また、複数のミラーが最も幅が広い光束に対応した幅で形成されているので、複数のミラー全体としての材料費が低減できないという問題があった。
【０００７】
また、複数のミラーにおける質量が大きい場合、キャリッジの移動により生じる慣性力が増加するので、キャリッジを移動させるモータ等にかかる負荷が大きくなるという問題があった。
【０００８】
本発明は、複数のミラーにおいてそれぞれ１度だけ光束を反射させて光路を形成すると共に、光束における主走査方向の長さに対応して所定のミラーにおける主走査方向の長さを短くした画像読取装置を提供することを目的とする。
【課題を解決するための手段】
【０００９】
本発明は、原稿に光を照射する光源手段と、前記原稿からの光束を反射させて光路を形成する複数のミラーと、前記複数のミラーにより反射された光束を結像させる結像レンズと、前記結像レンズの結像位置に配置され、前記結像レンズによる結像に基づいて前記原稿の画像を読み取る読取手段と、前記光源手段と、前記複数のミラーと、前記結像レンズと、前記読取手段とを収容する主走査方向に直交する副走査方向に移動可能なケース体と、を備え、複数のミラーは、光束をそれぞれ一度だけ反射させて光路を形成し、前記複数のミラーのうち前記光路において最も前記結像レンズ側に配置される結像側ミラーは、前記主走査方向における長さが最も短くなるように形成される画像読取装置に関する。
【００１０】
また、前記複数のミラーそれぞれは、前記光路において前記原稿側から前記結像レンズ側に向かうにしたがって前記主走査方向における長さが短くなるように形成されることが好ましい。
【００１１】
また、前記結像側ミラーにおける厚さは、前記複数のミラーのうち前記光路において最も前記原稿側に配置される原稿側ミラーの厚さよりも厚くなるよう形成されることが好ましい。
【００１２】
また、前記複数のミラーそれぞれにおける厚さは、前記光路において前記原稿側から前記結像レンズ側に向かうにしたがって、同等もしくは厚くなるように形成されることが好ましい。
【００１３】
また、前記ケース体には、前記読取手段の動作を制御する制御手段が実装された回路基板と、前記読取手段と前記回路基板とを電気的に接続する信号線とが配置され、前記複数のミラーは、前記結像側ミラーと前記光路において最も前記原稿側に配置される原稿側ミラーとの間に配置される１又は複数の中間ミラーとで構成され、前記回路基板は、前記１又は複数の中間ミラーのうち所定の中間ミラーと前記主走査方向において並列して配置されることが好ましい。
【００１４】
また、前記複数のミラーは、前記光路方向において前記原稿側から前記結像レンズ側に向かって順次配置される第１ミラーと、第２ミラーと、第３ミラーと、第４ミラーとで構成され、前記第１ミラーは、前記ケース体の底面側に配置され、前記第２ミラーは、前記ケース体の前記副走査方向における一端側に配置され、前記第３ミラーは、前記ケース体の前記副走査方向における他端側に配置され、前記第４ミラーは、前記ケース体の前記副走査方向における前記一端側であって前記第１ミラーよりも前記底面側に配置され、前記回路基板は、前記第３ミラーと前記主走査方向において並列して配置されることが好ましい。
【００１５】
本発明は、上述の画像読取装置と、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、を備える画像形成装置に関する。
【発明の効果】
【００１６】
本発明によれば、複数のミラーにおいてそれぞれ１度だけ光束を反射させて光路を形成すると共に、光束における主走査方向の長さに対応して所定のミラーにおける主走査方向の長さを短くした画像読取装置を提供することができる。
【発明を実施するための最良の形態】
【００１７】
以下、図面を参照して本発明を実施するための最良の形態を説明する。
図１により、本実施形態における画像形成装置としてのコピー機１における全体構造を説明する。図１は、コピー機１における各構成要素の配置を説明するための左側面図である。本実施形態において、後述する手差しトレイ６５が配置された側（図１における右側）をコピー機１の前側とする。
【００１８】
画像形成装置としてのコピー機１は、該コピー機１における上方側に配置される画像読取装置２００と、下方側に配置され画像読取装置２００からの画像情報に基づいて用紙Ｔにトナー画像を形成する装置本体Ｍと、を備える。
【００１９】
画像読取装置２００は、所定の原稿Ｇを送り出す原稿送り部７０と、原稿Ｇの画像を読み込む読取部２０１と、を備える。原稿送り部７０は、読取部２０１に対して不図示の連結部により開閉可能に連結される。原稿送り部７０は、後述する読取面２０２Ａを保護する機能も有する。
【００２０】
原稿送り部７０が閉状態の場合、原稿Ｇは、原稿送り部７０における上面に形成される原稿載置部７１に載置される。原稿載置部７１に載置された原稿Ｇは、不図示の送りローラにより読取部２０１における読取面２０２Ａ（図２参照）を構成する第１読取面２０３Ａ（図２参照）に移動される。この場合、ケース体としてのキャリッジ２１０（図２参照）は、第１位置２０３（図２参照）に固定される。そして、原稿Ｇが第１読取面２０３Ａをスライドするように移動されることで、キャリッジ２１０に配置される画像読取手段としてのＣＣＤ２３５（図６参照）により、原稿Ｇの表面に形成された画像が読み取られる。
【００２１】
原稿送り部７０が開状態の場合、原稿Ｇは、読取面２０２Ａを構成する第２読取面２０４Ａ（図２参照）に載置される。この場合、キャリッジ２１０は、第２位置２０４（図２参照）に配置されると共に、第２位置２０４における主走査方向Ｙと直交する副走査方向Ｘに一定速度で移動される。これにより、第２読取面２０４Ａに載置された原稿Ｇの画像が読みとられる。
画像読取装置２００における読取部２０１については、後に詳述する。
【００２２】
装置本体Ｍは、所定の画像情報に基づいて用紙Ｔに所定の画像を形成する画像形成部と、用紙Ｔを画像形成部に給紙すると共に画像が形成された用紙Ｔを排紙する給排紙部とを有する。
【００２３】
図１に示すように、画像形成部は、感光体ドラム２と、帯電部１０と、レーザスキャナユニット４と、現像器１６と、トナーカートリッジ５と、トナー供給装置６と、転写ローラ８と、定着装置９とを備える。
また、給排紙部は、給紙カセット５２と、手差しトレイ６５と、レジストローラ対８０と、用紙Ｔの搬送路Ｌとを備える。
【００２４】
感光体ドラム２は、円筒形状の部材からなり、像担持体として機能する。感光体ドラム２は、図１に対して垂直な回転軸を中心に回転可能な態様で装置本体Ｍに配置される。感光体ドラム２の表面には、静電潜像が形成される。
【００２５】
帯電部１０は、感光体ドラム２の上方に配置される。帯電部１０は、感光体ドラム２の表面を一様に正（プラス極性）帯電させる。
【００２６】
レーザスキャナユニット４は、感光体ドラム２の上方に感光体ドラム２から離間して配置される。レーザスキャナユニット４は、不図示のレーザ光源、ポリゴンミラー、ポリゴンミラー駆動用モータ等を有して構成される。
レーザスキャナユニット４は、画像読取装置２００から出力された画像情報に基づいて、感光体ドラム２の表面を走査露光する。レーザスキャナユニット４により走査露光されることによって、感光体ドラム２の表面に帯電した電荷が除去される。これにより、感光体ドラム２の表面に静電潜像が形成される。
【００２７】
現像器１６は、感光体ドラム２の前方（図１における右側）に配置される。現像器１６は、感光体ドラム２に形成された静電潜像に単色（通常はブラック）のトナー画像を現像する。現像器１６は、感光体ドラム２に対向配置可能な現像ローラ１７とトナー攪拌用の攪拌ローラ１８とを有して構成される。
【００２８】
トナーカートリッジ５は、現像器１６に供給されるトナーを収容する。
トナー供給装置６は、トナーカートリッジ５に収容されたトナーを、現像器１６に供給する。
【００２９】
ドラムクリーニング装置１１は、感光体ドラム２の後方（図１における左側）に配置される。ドラムクリーニング装置１１は、感光体ドラム２の表面に残留したトナーや付着物を除去する。
【００３０】
転写ローラ８は、感光体ドラム２の表面に現像されたトナー画像を用紙Ｔに転写させる。転写ローラ８には、不図示の電圧印加手段により、感光体ドラム２に現像されたトナー画像を用紙Ｔに転写させるための転写バイアスが印加される。
【００３１】
転写ローラ８は、感光体ドラム２に対して接離される。具体的には、転写ローラ８は、感光体ドラム２に当接される当接位置と、感光体ドラム２から離間する離間位置とに移動可能に構成される。詳細には、転写ローラ８は、感光体ドラム２に現像されたトナー画像を用紙Ｔに転写させる場合には当接位置に移動され、他の場合には離間位置に移動される。
【００３２】
用紙Ｔは、感光体ドラム２と転写ローラ８とによって挟み込まれ、感光体ドラム２の表面（トナー画像が現像された側）に押し当てられる。このようにして転写部としての転写ニップＮが形成され、感光体ドラム２に現像されたトナー画像は、用紙Ｔに転写される。
【００３３】
定着装置９は、用紙Ｔに転写されたトナー画像を構成するトナーを溶融させて、用紙Ｔに定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が転写された用紙Ｔを挟持するようにして搬送する。用紙Ｔが加熱ローラ９ａと加圧ローラ９ｂとの間に挟持されるように搬送されることによって、用紙Ｔに転写されたトナーは、溶融し、定着する。
【００３４】
給紙カセット５２は、装置本体Ｍの下部に配置される。給紙カセット５２は、装置本体Ｍの前側（図１における右側）に水平方向に引き出し可能に配置される。給紙カセット５２は、用紙Ｔが載置される載置板６０を備えており、給紙カセット５２には、載置板６０に用紙Ｔが積層された状態で、用紙Ｔが収容される。カセット給紙部５１は、給紙カセット５２の用紙送り出し側端部（図１における右側端部）に配置される。カセット給紙部５１は、給紙カセット５２に収容された用紙Ｔを搬送路Ｌに送り出す。
カセット給紙部５１は、載置板６０に載置された用紙Ｔを取り出す前送りコロ６１と、用紙Ｔを１枚ずつ搬送路Ｌに送り出すローラ対６３とからなる重送防止機構を備える。
【００３５】
カセット給紙部５１又は手差し給紙部６４と排紙部５０との間には、用紙Ｔを搬送する搬送路Ｌが形成される。搬送路Ｌは、カセット給紙部５１から第１合流部Ｐ１までの第１搬送路Ｌ１と、第１合流部Ｐ１からレジストローラ対８０までの第２搬送路Ｌ２と、レジストローラ対８０から転写ローラ８までの第３搬送路Ｌ３と、転写ローラ８から定着装置９までの第４搬送路Ｌ４と、定着装置９から分岐部Ｐ３までの第５搬送路Ｌ５と、分岐部Ｐ３から排紙部５０までの第６搬送路Ｌ６とを有する。
【００３６】
また、搬送路Ｌは、手差しトレイ６５から第１合流部Ｐ１までの第７搬送路Ｌ７を有する。第１合流部Ｐ１は、カセット給紙部５１から用紙Ｔを搬送する第１搬送路Ｌ１と、手差しトレイ６５から用紙Ｔを搬送する第７搬送路Ｌ７との合流部である。
第２搬送路Ｌ２の途中には、第２合流部Ｐ２が配置される。更に、搬送路Ｌは、分岐部Ｐ３から第２合流部Ｐ２までの戻し搬送路Ｌｂを有する。第２合流部Ｐ２は、第２搬送路Ｌ２と戻し搬送路Ｌｂとの合流部である。
【００３７】
ここで、転写ローラ８における用紙Ｔの搬送方向の上流側（図１における右側）には、レジストローラ対８０が配置される。レジストローラ対８０は、用紙Ｔのスキュー（斜め給紙）補正や、トナー画像とのタイミング調整を行うためのローラ対である。
【００３８】
戻し搬送路Ｌｂは、用紙Ｔの両面印刷を行う際に、既に印刷されている面とは反対面（非印刷面）を感光体ドラム２に対向させるために設けられる搬送路である。
戻し搬送路Ｌｂによれば、分岐部Ｐ３から排紙部５０側に搬送された用紙Ｔを表裏反転させて第２搬送路Ｌ２に戻すことができる。戻し搬送路Ｌｂにより表裏反転された用紙Ｔは、感光体ドラム２により非印刷面に対して所定のトナー画像が転写される。
【００３９】
装置本体Ｍの前面側（図１における右側）であって給紙カセット５２の上方には、手差し給紙部６４が設けられる。手差し給紙部６４は、手差しトレイ６５と、給紙コロ６６とを備える。手差しトレイ６５は、その基端部が第７搬送路Ｌ７の入口近傍に回動自在（開閉自在）に取り付けられる。手差しトレイ６５は、その閉状態において、装置本体Ｍの前面の一部を構成する。給紙コロ６６は、手差しトレイ６５に載置された用紙Ｔを取り出し、第７搬送路Ｌ７に向けて送り出す。
手差し給紙部６４は、開状態の手差しトレイ６５に載置された用紙Ｔを、第７搬送路Ｌ７及び第１合流部Ｐ１を介して、第２搬送路Ｌ２に給紙する。
【００４０】
第６搬送路Ｌ６における端部には、排紙部５０が形成される。排紙部５０は、装置本体Ｍにおける上方側に配置される。排紙部５０は、装置本体Ｍの前方（図１における右方）に向けて開口している。排紙部５０は、定着装置９によりトナーが定着された用紙Ｔを装置本体Ｍの外部に排紙する。
【００４１】
排紙部５０における開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、排紙部５０から排紙された、所定画像が転写された用紙Ｔが積層して集積される。
【００４２】
図２から図６により、画像読取装置２００における読取部２０１について説明する。
図２は、読取部２０１の断面図である。図３は、読取部２０１の全体構成を説明する分解斜視図である。図４は、図３における矢印Ｆ方向からキャリッジ２１０を見た図である。図５は、キャリッジ２１０の構造を説明する図である。図６は、図２における領域Ａの拡大図である。図７は、光路Ｈが直線になるようにミラー２２１、２２２、２２３、２２４を展開した図である。
【００４３】
図２に示すように、読取部２０１は、外形を構成し垂直方向上側に開口２０６が形成される収容ケース２０５と、開口２０６を覆うように配置され光透過性である読取面２０２を有して構成される上面ケース２０７と、を有する。
【００４４】
図２に示すように、読取部２０１は、垂直方向上面に形成される読取面２０２Ａを有する。読取面２０２Ａは、第１読取面２０３Ａと、第２読取面２０４Ａとを有する。第１読取面２０３Ａは、上述の通り、原稿送り部７０（図１参照）が閉状態の場合に原稿Ｇがスライド移動される読取面である。第２読取面２０４Ａは、上述の通り、原稿送り部７０が開状態の場合に原稿Ｇが載置される読取面である。
【００４５】
図３に示すように、収容ケース２０５には、副走査方向Ｘに移動可能に構成されるキャリッジ２１０と、キャリッジ２１０の一端２１０Ａ側に形成される挿通孔２５１ａ、２５１ｂ（図４参照）に挿通されキャリッジ２１０の移動を案内する棒状のガイド部２５０と、キャリッジ２１０に連結される環状ベルト２６０と、環状ベルト２６０における内側に配置され環状ベルト２６０を回転移動させるモータ部２６１と、キャリッジ２１０の他端２１０Ｂ側における垂直方向下側に形成され該キャリッジ２１０の他端２１０Ｂをスライド可能な状態で支持するスライド部２５５と、が収容配置される。
【００４６】
図３に示すように、ガイド部２５０は、細長い円筒形状の棒部材である。ガイド部２５０は、収容ケース２０５の内側に副走査方向ＸにおけるＸ２側の端部からＸ１側まで端部まで延びるように配置される。ガイド部２５０は、キャリッジ２１０における一端２１０Ａ側に形成された挿通孔２５１ａ、２５１ｂに挿通される。ガイド部２５０は、キャリッジ２１０における副走査方向Ｘへの移動を案内する。
【００４７】
図３に示すように、スライド部２５５は、キャリッジ２１０の他端２１０Ｂ側における垂直方向下側に形成される平面状の部分である。スライド部２５５は、摩擦抵抗が少なくなるように処理された平面状の部分である。スライド部２５５は、主走査方向Ｙにおいてガイド部２５０と反対側に形成される。スライド部２５５は、収容ケース２０５の内側に副走査方向ＸにおけるＸ２側の端部からＸ１側の端部まで延びるように配置される。スライド部２５５は、キャリッジ２１０の他端２１０Ｂ側をスライド可能に支持する。言い換えると、キャリッジ２１０における他端２１０Ｂは、スライド部２５５に載置された状態で副走査方向Ｘにスライド移動される。
【００４８】
図３に示すように、環状ベルト２６０は、一部がキャリッジ２１０に連結された環状のベルト部材である。環状ベルト２６０は、弾力性を有する材料で無端状に形成されたベルト部材である。環状ベルト２６０は、ローラ２６２（図４参照）とモータ部２６１とに所定の張力を有した状態で掛け渡される。ローラ２６２は、副走査方向ＸにおけるＸ２側に配置され、モータ部２６１は、副走査方向ＸにおけるＸ１側に配置される。所定の張力を有した状態で軸部材とモータ部２６１に掛け渡された環状ベルト２６０は、モータ部２６１が回転することで回転移動される。環状ベルト２６０が回転移動されることで、環状ベルト２６０に連結されたキャリッジ２１０がガイド部２５０に案内されながら副走査方向Ｘに移動される。
【００４９】
図３に示すように、モータ部２６１は、ガイド部２５０における垂直方向下側であって副走査方向ＸにおけるＸ１側に配置される。モータ部２６１は、上述の通り、環状ベルト２６０の内側に配置される。モータ部２６１は、該モータ部２６１が回転することで所定の張力を有した状態で掛け渡される環状ベルト２６０を回転させる。つまり、モータ部２６１は、該モータ部２６１が回転することで環状ベルト２６０に連結されたキャリッジ２１０を移動させる。
【００５０】
図４に示すように、キャリッジ２１０から延出する連結部２８０は、環状ベルト２６０の内側に配置される内側部２８１と、環状ベルト２６０の外側に配置される外側部２８２とを備える。内側部２８１には、環状ベルト２６０の内面に対向する複数の突起２８１ａが形成される。内側部２８１は、複数の突起２８１ａそれぞれが環状ベルト２６０の内面に形成された複数の凹部２６０ａそれぞれに嵌合するように配置される。外側部２８２には、環状ベルト２６０の外面に対向する複数の当接部２８２ａが形成される。外側部２８２は、複数の当接部２８２ａそれぞれが環状ベルト２６０の外面に当接する。連結部２８０は、内側部２８１と外側部２８２とにより環状ベルト２６０を挟み込むようにして該環状ベルト２６０に取り付けられる。言い換えると、キャリッジ２１０は、連結部２８０により環状ベルト２６０に取り付けられる。
【００５１】
図５及び図６に示すように、主走査方向Ｙに長い略直方形のケース体であるキャリッジ２１０は、外形を構成するキャリッジケース２１１と、垂直方向上側に配置される光源手段としての蛍光灯２４０と、蛍光灯２４０からの光を原稿Ｇ側に集める集光ミラー２４１と、蛍光灯２４０からの光であって原稿Ｇから反射した光束を反射させて光路Ｈを形成するミラー群２２０と、光路Ｈの端部に配置され原稿Ｇの画像を結像させる結像レンズ２３０と、結像された原稿Ｇの画像を読み取る読取手段としてのＣＣＤ２３５と、ＣＣＤ２３５が実装されたＣＣＤ基板２３６と、ＣＣＤ２３５の動作を制御する制御手段としての不図示のＣＰＵが実装された回路基板２９０と、ＣＣＤ基板２３６（ＣＣＤ２３５）と回路基板２９０とを電気的に接続する信号線としてのフレキシブルプリント基板２９１と、を備える。
【００５２】
図６に示すように、蛍光灯２４０は、キャリッジ２１０における垂直方向上側に主走査方向Ｙに沿って配置される。蛍光灯２４０は、原稿Ｇに照射させる光を発光させる。
【００５３】
図６に示すように、集光ミラー２４１は、蛍光灯２４０の副走査方向ＸにおけるＸ２側及び垂直方向下方側を囲むように配置される。集光ミラー２４１は、蛍光灯２４０からの光を集光して光束Ｈ１を原稿Ｇに照射させる。
【００５４】
ミラー群２２０は、原稿側ミラーとしての第１ミラー２２１と、中間ミラーとしての第２ミラー２２２と、所定の中間ミラーとしての第３ミラー２２３と、結像側ミラーとしての第４ミラー２２４と、を有する。ミラー群２２０は、原稿Ｇからの光束Ｈ２を反射させて、キャリッジ２１０内で光束を折り返して所定距離の光路Ｈを形成する。
【００５５】
図６に示すように、第１ミラー２２１は、キャリッジケース２１１における底面側に第１反射面Ｒ１を上面にして配置される。第１ミラー２２１は、原稿Ｇからの光束Ｈ２を第２ミラー２２２に向かうように反射させる。
【００５６】
第２ミラー２２２は、キャリッジケース２１１における垂直方向上側であって副走査方向ＸにおけるＸ１側に配置される。第２ミラー２２２は、第２反射面Ｒ２を第１ミラー２２１及び第３ミラー２２３側に向けるようにして配置される。第２ミラー２２２は、第１ミラー２２１からの光束Ｈ３を第３ミラー２２３に向かうように反射させる。
【００５７】
第３ミラー２２３は、キャリッジケース２１１における垂直方向上側であって副走査方向ＸにおけるＸ２側に配置される。第３ミラー２２３は、第３反射面Ｒ３を第２ミラー２２２及び第４ミラー２２４側に向けるようにして配置される。第３ミラー２２３は、第２ミラー２２２からの光束Ｈ４を第４ミラー２２４に向かうように反射させる。
【００５８】
第４ミラー２２４は、キャリッジケース２１１における底面側であって副走査方向ＸにおけるＸ１側に配置される。第４ミラー２２４は、副走査方向Ｘにおける同じＸ１側に配置される第２ミラー２２２よりも底面側に配置される。第４ミラー２２４は、第４反射面Ｒ４を第３ミラー２２３及び結像レンズ２３０側に向けるようにして配置される。第４ミラー２２４は、第３ミラー２２３からの光束Ｈ５を結像レンズ２３０に向かうように反射させる。
【００５９】
図５に示すように、ミラー群２２０を構成するミラー２２１、２２２、２２３、２２４それぞれは、主走査方向Ｙにおける両端が固定部によりそれぞれ固定される。具体的には、ミラー群２２０を構成するミラー２２１、２２２、２２３、２２４それぞれは、反射面Ｒ１、Ｒ２、Ｒ３、Ｒ４が所定の角度を維持するように固定部により固定される。
【００６０】
詳細には、まず、第１ミラー２２１は、第１固定部３０１と第２固定部３０２とにより第１反射面Ｒ１が第２ミラー２２２の第２反射面Ｒ２に対して所定角度を維持するように固定される。
【００６１】
第１固定部３０１は、第１ミラー２２１の主走査方向Ｙにおけるガイド部２５０側（Ｙ１側）に配置される。第１固定部３０１は、第１反射面Ｒ１側に配置される第１保持部３０１ａと、第１反射面Ｒ１側と反対側に配置される第１押圧部材３０１ｂと、を備える。第１固定部３０１は、第１押圧部材３０１ｂにより第１ミラー２２１における一端側を第１保持部３０１ａ側に押圧することで、第１ミラー２２１が第２ミラー２２２に対して所定角度になるよう第１ミラー２２１における一端側を位置決め固定する。
【００６２】
第２固定部３０２は、第１ミラー２２１の主走査方向Ｙにおけるスライド部２５５側（Ｙ２側）に配置される。第２固定部３０２は、第１反射面Ｒ１側に配置される第２保持部３０２ａと、第１反射面Ｒ１側と反対側に配置される第２押圧部材３０２ｂと、を備える。第２固定部３０２は、第２押圧部材３０２ｂにより第１ミラー２２１における他端側を第２保持部３０２ａ側に押圧することで、第１ミラー２２１が第２ミラー２２２に対して所定角度になるよう第１ミラー２２１における他端側を位置決め固定する。
【００６３】
第１保持部３０１ａ及び第２保持部３０２ａには、不図示の突起部が形成される。突起部は、第１ミラー２２１の第１反射面Ｒ１に当接して第１ミラー２２１を位置決め保持する。ここで、第１ミラー２２１における第２ミラー２２２に対する角度を正確に維持するには、第１保持部３０１ａ及び第２保持部３０２ａに形成される突起部材は、３つであることが好ましい。言い換えると、第１保持部３０１ａ及び第２保持部３０２ａにおいて、第１ミラー２２１を３つの突起部材で支持（３点支持）することが好ましい。
【００６４】
同様に、第２ミラー２２２は、第３固定部３１１と第４固定部３１２とにより第２反射面Ｒ２が第３ミラー２２３の第３反射面Ｒ３に対して所定角度を維持するように固定される。第２ミラー２２２は、第２ミラー２２２の主走査方向Ｙにおけるガイド部２５０側（Ｙ１側）に形成される第３固定部３１１と、主走査方向Ｙにおけるスライド部２５５（Ｙ２側）に形成される第４固定部３１２とにより固定される。第３固定部３１１は、第２反射面Ｒ２側に配置される第３保持部３１１ａと、第２反射面Ｒ２側と反対側に配置される第３押圧部材３１１ｂと、を備える。第４固定部３１２は、第２反射面Ｒ２側に配置される第４保持部３１２ａと、第２反射面Ｒ２側と反対側に配置される第４押圧部材３１２ｂと、を備える。第３固定部３１１及び第４固定部３１２における第２ミラー２２２の位置決め固定は、上述の第１固定部３０１及び第２固定部３０２における第１ミラー２２１の位置決め固定と同様の態様である。
【００６５】
また、第３ミラー２２３は、第５固定部３２１と第６固定部３２２とにより第３反射面Ｒ３が第４ミラー２２４の第４反射面Ｒ４に対して所定角度を維持するように固定される。第３ミラー２２３は、第３ミラー２２３の主走査方向Ｙにおけるガイド部２５０側（Ｙ１側）に形成される第５固定部３２１と、主走査方向Ｙにおけるスライド部２５５（Ｙ２側）に形成される第６固定部３２２とにより固定される。第５固定部３２１は、第３反射面Ｒ３側に配置される第５保持部３２１ａと、第３反射面Ｒ３側と反対側に配置される第５押圧部材３２１ｂと、を備える。第６固定部３２２は、第３反射面Ｒ３側に配置される第６保持部３２２ａと、第３反射面Ｒ３側と反対側に配置される第６押圧部材３２２ｂと、を備える。第５固定部３２１及び第６固定部３２２における第３ミラー２２３の位置決め固定は、上述の第１固定部３０１及び第２固定部３０２における第１ミラー２２１の位置決め固定と同様の態様である。
【００６６】
また、第４ミラー２２４は、第７固定部３３１と第８固定部３３２とにより第４反射面Ｒ４が結像レンズ２３０に対して所定角度を維持するように固定される。第４ミラー２２４は、第４ミラー２２４の主走査方向Ｙにおけるガイド部２５０側（Ｙ１側）に形成される第７固定部３３１と、主走査方向Ｙにおけるスライド部２５５（Ｙ２側）に形成される第８固定部３３２とにより固定される。第７固定部３３１は、第４反射面Ｒ４側に配置される第７保持部３３１ａと、第４反射面Ｒ４側と反対側に配置される第７押圧部材３３１ｂと、を備える。第８固定部３３２は、第４反射面Ｒ４側に配置される第８保持部３３２ａと、第４反射面Ｒ４側と反対側に配置される第８押圧部材３３２ｂと、を備える。第７固定部３３１及び第８固定部３３２における第４ミラー２２４の位置決め固定は、上述の第１固定部３０１及び第２固定部３０２における第１ミラー２２１の位置決め固定と同様の態様である。
【００６７】
図５に示すように、ミラー群２２０を構成する第１ミラー２２１、第２ミラー２２２、第３ミラー２２３、第４ミラー２２４は、光路Ｈにおいて結像レンズ２３０側に近づくにしたがって、主走査方向Ｙにおける長さ（Ｘ１、Ｘ２、Ｘ３、Ｘ４）が短くなるように形成される。本実施形態において、第４ミラー２２４がミラー群２２０を構成するミラーのうち、主走査方向Ｙにおける長さが最も短くなるように形成される。
【００６８】
ミラー群２２０を構成する第１ミラー２２１、第２ミラー２２２、第３ミラー２２３、第４ミラー２２４それぞれは、入射された光束それぞれを主走査方向Ｙにおける長さ（幅）が短くなるよう収束させる。具体的には、第１ミラー２２１、第２ミラー２２２、第３ミラー２２３、第４ミラー２２４それぞれは、入射された光束それぞれを原稿Ｇの画像が大きく歪まない程度に収束させる。原稿Ｇの画像が大きく歪まない程度に収束させることが必要であるためには、光路Ｈが所定距離だけ必要となる。
【００６９】
図７に示すように、ミラー群２２０を構成する第１ミラー２２１、第２ミラー２２２、第３ミラー２２３、第４ミラー２２４それぞれは、入射する光束よりも少しだけ幅（主走査方向Ｙにおける長さ）が広くなるように形成される。詳細には、第１ミラー２２１は、光束Ｈ２よりも少しだけ幅が広くなるように形成される。また、第２ミラー２２２は、光束Ｈ３よりも少しだけ幅が広くなるように形成される。また、第３ミラー２２３は、光束Ｈ４よりも少しだけ幅が広くなるように形成される。また、第４ミラー２２４は、光束Ｈ５よりも少しだけ幅が広くなるように形成される。
【００７０】
上述の通り、第２ミラー２２２、第３ミラー２２３及び第４ミラー２２４は、第１ミラー２２１よりも幅（主走査方向Ｙ）が狭くなるように形成されるので、幅方向において、スペースが生じる。これにより、後述のように、第３ミラー２２３の主走査方向Ｙに回路基板２９０を配置することができる。
【００７１】
図７に示すように、ミラー群２２０を構成する第１ミラー２２１、第２ミラー２２２、第３ミラー２２３、第４ミラー２２４は、光路Ｈにおいて結像レンズ２３０側に近づくにしたがって、厚さが厚くなるように形成される。
【００７２】
図６に示すように、光路Ｈは、蛍光灯２４０から原稿Ｇまでの光束Ｈ１と、原稿Ｇから第１ミラー２２１までの光束Ｈ２と、第１ミラー２２１から第２ミラー２２２までの光束Ｈ３と、第２ミラー２２２から第３ミラー２２３までの光束Ｈ４と、第３ミラー２２３から第４ミラー２２４までの光束Ｈ５と、第４ミラー２２４から結像レンズ２３０までの光束Ｈ６と、結像レンズ２３０からＣＣＤ２３５までの光束Ｈ７と、を有する。光束Ｈ３から光束Ｈ６までは、ミラー群２２０により形成される。光路Ｈにおける結像レンズ２３０側の光束Ｈ６は、結像レンズ２３０に入射される。
【００７３】
図６に示すように、結像レンズ２３０は、キャリッジケース２１１における底面側であって副走査方向Ｘにおける略中央に配置される。結像レンズ２３０は、光路Ｈにおける原稿Ｇ側と反対の端部側に配置される。結像レンズ２３０は、光束Ｈ６と光束Ｈ７との間に配置される。結像レンズ２３０は、入射された光束Ｈ６を所定位置において結像させる。結像レンズ２３０は、原稿Ｇの画像を所定位置において結像させる。
【００７４】
図６に示すように、ＣＣＤ２３５は、キャリッジケース２１１における底面側であって副走査方向ＸにおけるＸ２側に配置される。ＣＣＤ２３５は、結像レンズ２３０における結像位置に配置される。結像された原稿Ｇの画像は、ＣＣＤ２３５により画像情報として読み取られる。ＣＣＤ２３５により読み取られた原稿Ｇの画像情報は、ＣＣＤ基板２３６を介して装置本体Ｍに出力される。
【００７５】
図５に示すように、回路基板２９０は、中間ミラーとしての第３ミラー２２３の主走査方向ＹにおけるＹ２側に並列して配置される。第３ミラー２２３がキャリッジ２１０の主走査方向Ｙにおける長さを規定する第１ミラーよりも主走査方向Ｙにおける長さが短くなるように形成されるので、回路基板２９０は、第３ミラー２２３との並列配置が可能となっている。
【００７６】
回路基板２９０は、フレキシブルプリント基板２９１を介してＣＣＤ基板２３６に電気的に接続される。つまり、回路基板２９０は、フレキシブルプリント基板２９１を介してＣＣＤ２３５に電気的に接続される。回路基板２９０には、ＣＣＤ２３５の読取動作を制御する制御手段としてのＣＰＵ（不図示）が配置される。回路基板２９０は、フレキシブルプリント基板２９１を介して所定の電子部品からの信号をＣＣＤ基板２３６に出力する。
【００７７】
図５に示すように、フレキシブルプリント基板２９１は、キャリッジ２１０に配置される。具体的には、フレキシブルプリント基板２９１は、ＣＣＤ基板２３６及び回路基板２９０がキャリッジ２１０に配置されているので、キャリッジ２１０に配置される。フレキシブルプリント基板２９１は、回路基板２９０がキャリッジ２１０と別個に配置された場合に比べて短くなっている。
【００７８】
続けて、画像読取装置２００における作用について説明する。
まず、原稿送り部７０を開状態にすると共に、読取面２０２を構成する第２読取面２０４Ａ（図２参照）に原稿Ｇを載置する。不図示のセンサにより第２読取面２０４Ａに原稿が載置されたことが検知されることで、キャリッジ２１０は、第２位置２０４に配置される。
【００７９】
次いで、原稿送り部７０を閉状態にする。そして、不図示のスタートスイッチを押すことで、コピー機１に対して、原稿Ｇの画像を複製することを指示する。スタートスイッチが押されることで、画像読取装置２００による原稿Ｇの画像を読み取り動作が開始される。
【００８０】
具体的には、図６に示すように、まず、蛍光灯２４０が点灯される。点灯された蛍光灯２４０からの光は集光ミラー２４１により収束されながら原稿Ｇに照射される。蛍光灯２４０による原稿Ｇへ光の照射がされた状態で、キャリッジ２１０は、副走査方向ＸにおけるＸ１方向に一定速度で移動される。キャリッジ２１０は、第２位置２０４（図２参照）における初期位置である副走査方向ＸにおけるＸ２側から反対側の端部であるＸ１側まで所定の読込動作をしながら一定速度で移動する。
【００８１】
キャリッジ２１０が一定速度で移動されている状態で、蛍光灯２４０から照射された光束Ｈ１のうち原稿Ｇにより反射された光束Ｈ２は、第１ミラー２２１における第１反射面Ｒ１により主走査方向Ｙにおける長さが短くなるように収束されて（図７参照）、光束Ｈ３として第２ミラー２２２に向かうように反射される。
同様に、光束Ｈ３、Ｈ４、Ｈ５それぞれは、第２ミラー２２２、第３ミラー２２３、第４ミラー２２４それぞれにより、収束されながら反射される。
【００８２】
ここで、図７に示すように、第１ミラー２２１、第２ミラー２２２、第３ミラー２２３、第４ミラー２２４それぞれは、光路Ｈにける結像レンズ２３０側に向かうにしたがって、光束Ｈ２、Ｈ３、Ｈ４、Ｈ５の主走査方向Ｙにおける長さに応じて、主走査方向Ｙにおける長さが短くなる。光束Ｈ２、Ｈ３、Ｈ４、Ｈ５それぞれは、第１ミラー２２１、第２ミラー２２２、第３ミラー２２３、第４ミラー２２４それぞれの主走査方向Ｙにおける両端近傍まで広がって入射する。つまり、第１ミラー２２１、第２ミラー２２２、第３ミラー２２３、第４ミラー２２４それぞれは、入射する光束Ｈ２、Ｈ３、Ｈ４、Ｈ５それぞれの主走査方向Ｙにおける長さに対応して形成されており、各光束を受光して収束させながら反射するのに必要十分な大きで形成されている。
【００８３】
続けて、第１ミラー２２１、第２ミラー２２２、第３ミラー２２３、第４ミラー２２４により収束された光束Ｈ６は、結像レンズ２３０に入射される。
【００８４】
光束Ｈ６が入射された結像レンズ２３０は、原稿Ｇの画像を結像させる。結像位置に配置されたＣＣＤ２３５は、結像された画像に基づいて、原稿Ｇの画像を画像情報として読み込む。ＣＣＤ２３５により読み込まれた画像情報は、ＣＣＤ基板２３６に出力される。そして、ＣＣＤ基板２３６に出力された画像情報は、フレキシブルプリント基板２９１を介して回路基板２９０に出力される。
【００８５】
ここで、回路基板２９０及びフレキシブルプリント基板２９１は、キャリッジ２１０に配置されるので、ＣＣＤ２３５及びＣＣＤ基板２３６と一体的に移動される。
【００８６】
続けて、回路基板２９０に出力された画像情報は、画像読取装置２００から装置本体Ｍに出力される。
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される。
【００８７】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から排紙集積部Ｍ１に排紙される。
【００８８】
本実施形態によれば、ミラー群２２０において複数のミラーにそれぞれ１度だけ光束を反射させて光路Ｈを形成すると共に、光束における主走査方向の長さに対応して所定のミラーにおける主走査方向の長さを短くしたコピー機１を提供することができる。
【００８９】
また、本実施形態によれば、ミラー群２２０を構成するミラーが光束における主走査方向Ｙの長さに応じて短くなるように形成されるので、ミラー群２２０を構成するミラーの材料を削減することができる。これにより、コピー機１において、材料コストを削減することができる。
【００９０】
また、本実施形態によれば、ミラー群２２０を構成するミラーが光束における主走査方向Ｙの長さに応じて短くなるように形成されるので、キャリッジ２１０の内部空間において省スペース化を図ることができる。また、これにより、キャリッジ２１０内における実装効率を向上させることができる。
【００９１】
また、本実施形態によれば、ミラー群２２０を構成する各ミラーの主走査方向Ｙにおける長さが最小限になるよう設定されるので、ミラー群２２０全体の質量を低減することができる。これにより、キャリッジ２１０の移動による慣性力を小さくすることができる。つまり、キャリッジ２１０が移動することによってかかるモータ部２６１への負担を軽減することができる。
【００９２】
また、本実施形態によれば、ミラー群２２０を構成する第１ミラー２２１、第２ミラー２２２、第３ミラー２２３、第４ミラー２２４は、光路Ｈにおいて結像レンズ２３０側に近づくにしたがって、厚さが厚くなるように形成される。本実施形態において、第４ミラー２２４がミラー群２２０を構成するミラーのうち、最も厚くなるように形成される。ＣＣＤ２３５に近いほどミラーの撓み等による画像への悪影響が強いので、本実施形態のような構成をとることで、読み取られた画像が歪む等の悪影響を抑制できる。
【００９３】
また、本実施形態によれば、中間ミラーとしての第３ミラー２２３と回路基板２９０とを主走査方向Ｙにおいて並列して配置している。これにより、回路基板２９０は、フレキシブルプリント基板２９１で接続されたＣＣＤ基板２３６と同じキャリッジ２１０に配置される。これにより、収容ケース２０５の内部空間を有効利用できる。また、これにより、回路基板２９０が収容ケース２０５側に配置された場合に比べて、フレキシブルプリント基板２９１の長さを短くすることができる。これにより、フレキシブルプリント基板２９１にかかる材料費を抑制することができる。また、フレキシブルプリント基板２９１の長さが短くなることで、フレキシブルプリント基板２９１から発生するノイズ（高周波等）の発生が抑制される。
【００９４】
以上、好適な実施形態について説明したが、本発明は上述した実施形態に限定されることなく種々の形態で実施することができる。例えば、本実施形態において、画像形成装置としてコピー機１につい説明しているが、これに限定されず、カラーコピー機、プリンタ、ファクシミリ及びこれらの複合機等であってもよい。
【００９５】
また、本実施形態において、画像読取装置２００は、装置本体Ｍと一体的に形成されているが、これに限定されず、装置本体Ｍと別個の筐体により構成されていてもよい。例えば、画像読取装置２００は、装置本体Ｍに対して着脱可能に構成されてもよい。
【００９６】
また、本実施形態において、画像読取装置２００は、画像形成装置としてのコピー機１の一部を構成しているが、これに限定されず、例えば、イメージスキャナ等の単体として用いられる装置であってもよい。
【００９７】
また、本実施形態において、ミラー群２２０を構成する第１ミラー２２１、第２ミラー２２２、第３ミラー２２３、第４ミラー２２４は、光路Ｈにおいて結像レンズ２３０側に近づくにしたがって、厚さが厚くなるように形成されるが、これに限定されず、複数のミラーそれぞれにおける厚さは、光路Ｈにおいて結像レンズ側に向かうにしたがって、同等もしくは厚くなるように形成されてもよい。
【図面の簡単な説明】
【００９８】
【図１】コピー機１における各構成要素の配置を説明するための左側面図である。
【図２】読取部２０１の断面図である。
【図３】読取部２０１の全体構成を説明する分解斜視図である。
【図４】図３における矢印Ｆ方向からキャリッジ２１０を見た図である。
【図５】キャリッジ２１０の構造を説明する図である。
【図６】図２における領域Ａの拡大図である。
【図７】光路Ｈが直線になるようにミラー２２１、２２２、２２３、２２４を展開した図である。
【符号の説明】
【００９９】
１……コピー機（画像形成装置）、２……感光体ドラム（像担持体）、１６……現像器、２００……画像読取装置、２１０……キャリッジ（ケース体）、２２０……ミラー群、２２１……第１ミラー（原稿側ミラー）、２２２……第２ミラー（中間ミラー）、２２３……第３ミラー（所定の中間ミラー）、２２４……第４ミラー（結像側ミラー）、２３０……結像レンズ、２３５……ＣＣＤ（読取手段）、２４０……蛍光灯（光源手段）、２９０……回路基板、２９１……フレキシブルプリント基板（信号線）、Ｈ……光路、Ｎ……転写ニップ（転写部）
【図１】
0005205084.tif 000002
【図２】
0005205084.tif 000003
【図３】
0005205084.tif 000004
【図４】
0005205084.tif 000005
【図５】
0005205084.tif 000006
【図６】
0005205084.tif 000007
【図７】
0005205084.tif 000008